(57)【要約】【目的】 発光する鍵の視認性を向上させる。【構成】 内部で照射される光が表面側から充分に視認されるとともに内部の部品等の形状が視認できない程度の半透明の透過光素材で形成され、自由端部側が上下動自在にその支点部を介して配設される鍵を、発光手段から直接光と樹脂部で反射した反射光の両方で照射するようにした。【選択図】図１
2004046241.tif 000002
【特許請求の範囲】
【請求項１】
　フレームと、
　断面コの字形状に構成し、内部で照射される光が表面側から充分に視認されるとともに内部の部品等の形状が視認できない程度の半透明の透過光素材で形成され、自由端部側が上下動自在にその支点部を介して配設される鍵と、
前記フレームに固定され、前記鍵における光を透過可能な部分の下に設けられ、前記鍵に向けて発光する発光手段と
を備え、前記発光手段は鍵の自由端側に配置され、発光時にフレームに設けられた樹脂部で反射させるようにし、発光手段からの直接光と上記樹脂部からの反射光の両方が上記鍵の天面を照射することを特徴とする電子鍵盤楽器の鍵盤装置。
【発明の詳細な説明】
【技術分野】
【０００１】
　本発明は、電子オルガン、ポータブル電子鍵盤楽器、電子ピアノ等に用いられる鍵盤装置に係わり、特に、練習時に鍵盤の鍵を発光させ得るようにした電子鍵盤楽器の鍵盤装置に関する。
【背景技術】
【０００２】
　従来、電子オルガン等の押鍵表示装置としては、例えば特開昭５４−１２６０１５号公報に開示のものが知られている。この装置は、鍵盤周囲の枠部分もしくは鍵に表示器を設け、この表示器を、各種記録装置からの信号に基づいて表示させ、演奏者（練習者）が、この表示器の表示にしたがって鍵を押すことにより、電子鍵盤楽器の練習を行うようにしたものである。
【特許文献１】特開昭５４−１２６０１５号公報
【発明の開示】
【発明が解決しようとする課題】
【０００３】
　しかしながら、この電子鍵盤楽器の鍵盤にあっては、表示される鍵の視認性が劣ると共に、押鍵状態を明確に把握することが難しく、かつ製品のコストがアツプするという問題点があった。すなわち、表示器が鍵盤周囲の枠部分に設けられる場合は表示器が鍵の後方か前方に設けられることから、後方の場合は指で押鍵する部分と表示部が遠くなり、前方の場合は指あるいは手で表示器が隠れてしまい、演奏者が発光する鍵を確実に視認することが難しくなる。また、表示器を枠部分に設ける場合も鍵に設ける場合も、表示器が、比較的小さい面積でしか表示しないため、きらきらして見にくく、それを避けるため輝度を落とすと演奏者による視認性が劣ることになる。
【０００４】
　また、表示器は明るさ等が常に一定状態で表示されるため、表示された鍵が実際に押されたか否かの確認は、指による鍵の沈み込みがかなり進行した時点で、電子鍵盤楽器から発せられる音での確認となり、演奏者が押鍵状態を早めにかつ明確に把握することが難しい。さらに、表示器を鍵に設ける場合は、鍵に表示器取付用の孔が必要であるため、鍵成形用の新たな金型等が必要になって、製品のコストがアップすることになる。
【０００５】
　そこで、鍵盤の下方に押鍵表示器を設けることが考えられるが、単に下方に表示器を設けただけでは鍵と鍵のすきまから光が洩れるだけであるので、鍵を透光材で形成する必要がある。ところが、透光材使用鍵ではスイッチ基板、フレーム等が見えて見苦しいのみならず、それが気になり演奏しにくい。従って、半透明透光材鍵の使用を思いついたわけであるが、これだけでは製品化に至らない。なぜなら、半透明透光材に光を当てるとその性質上光の散乱が起こることから、透過光を見るとメリハリのつかない表示部にならざるを得ないのである。そこで、光源の光量を増すため大型表示器を配設することも考えられるが、鍵盤の下方ということもあり、鍵下には鍵スイッチ、ストッパ等種々の鍵に必要欠くべからざる部品が多くあり、光源配設スペースをどうするか等の問題があった。
【０００６】
　本発明は、このような事情に鑑みてなされたもので、その目的は、発光する鍵の視認性を向上させる共に、押鍵状態を明確に把握し得て、かつ製品のコストの低減を図り得る、電子鍵盤楽器の鍵盤装置を提供することにある。
【課題を解決するための手段】
【０００７】
　本発明は、断面コの字形状に構成され、内部で照射される光が表面側から充分に視認されるとともに内部の部品等の形状が視認できない程度の半透明の透過光素材で形成され、自由端部側が上下動自在にその支点部を介して配設される鍵を、発光手段からの直接光と樹脂部からの反射光の両方が上記鍵の天面を照射することを最も主要な特徴とする。
【発明の効果】
【０００８】
　本発明による電子鍵盤楽器の鍵盤装置では、発光手段からの直接光と樹脂部からの反射光の両方が鍵を照射するので、視認性が向上する。
【発明を実施するための最良の形態】
【０００９】
請求項１記載の発明によれば、発光手段から発光された光は、図１中の矢印で示すように主に直接光ａ１によって鍵の天面５ａａが照射される。また、発光手段からの発光された光がフレームに設けられた樹脂部（鍵ガイド部８ｄや鍵ストッパ部８ｃ）に反射され、その反射光が鍵の天面５ａａを照射する。
【実施例】
【００１０】
以下、本発明の実施例を図面に基づいて詳細に説明する。図１は、本発明に係わる電子鍵盤楽器の鍵盤装置の一部を断面で表した側面図を示している。図２は、鍵１を全て取り除いた鍵盤装置を示すものであって、主として鍵フレームを後方斜め上から見た部分的斜視図である。ここで説明の都合上、鍵自由端側を前方（前端）、鍵支点部側を後方（後端）という。図１において、鍵１は、その後端部１ａに支点部２を有し、この支点部２を介して、自由端部１ｂが矢印イ方向に揺動自在に鍵フレーム８に配設される。前記支点部２は、上下方向可動の第１ヒンジ部（水平ヒンジ部）２ａと左右方向可動の第２ヒンジ部（垂直ヒンジ部）２ｂと共通基端部（共通固定部）２ｃとからなり、図示しない黒鍵グループ（共通基端部のみ全鍵図示）も含め、該基端部２ｃで３ブロックの鍵群が重ね合わされ、ネジ８ａで鍵フレーム８に固着される。
【００１１】
また、鍵フレーム８の前方には、被ガイド部３の後方切欠凹部上下端面に対向して上限ストッパ８ｂ、下限ストッパ８ｃが設けられている。そして、鍵１の自由端部１ｂ側を押鍵されると、切起こし片８ｆにアウトサート樹脂成形した鍵ガイド８ｄに被ガイド部３が案内されつつ、鉤形片３ｄが透孔８ｅ中を下に向って移動するよう構成され、鍵当接部１ｃが下限ストッパ（鍵ストッパ部）８ｃに当接することによって、押鍵の下限を規定している。なお上限規定は図１のとおり鉤形片３の上端面が上限ストッパ８ｂに当接することによってなされている。また下限ストッパ８ｃには、押鍵を指示するためのＬＥＤ（発光手段としての発光ダイオード）７がそのリード線７１と共に埋め込み保持されている。そして鍵の中央よりやや後端部１ａ側には、鍵スイッチを押圧するためのアクチュエータ４が一体成形されている。
【００１２】
このような鍵１は、合成樹脂を所定形状の金型（図示せず）で成形することによって形成され、鍵ストッパ部の鍵側対向部（５ａａ）を少なくとも透明もしくは半透明の透光素材で形成される。鍵全体を透明もしくは半透明の透光素材で形成してもよいが、部分的に透明もしくは半透明にする場合は、例えば、２色成形法にて金型のダブルゲートからの（半）透明樹脂側を鍵先端側に配設すれば金型による一体成形も可能である。そしてこの鍵１は、内側に略断面コ字状の凹部５が形成され、この凹部５の一部は前述した鍵上下動用被ガイド部３を形成する。なお、鍵全体を透明もしくは半透明の透光素材で形成する場合の合成樹脂は、白鍵の場合は略白色に、黒鍵の場合は略黒色に形成され、かつ白鍵及び黒鍵とも、凹部である被ガイド部３内に照射される光が、表面側から充分視認されるが内部の部品の形状等は視認できない程度に形成される。
【００１３】
また鍵フレーム８の上面にはプリント基板９が配設され、このプリント基板９上に向合いコ字状にパターン印刷された固定接点（図示せず）と、この固定接点に対向した可動接点を下面に有する伏腕状可動片９Ｓと、からなる鍵スイッチを鍵１のアクチュエータ４の下方に設けている。また光反射効率を高めるため前記プリント基板９は白色又はアイボリー系の薄めの基板を用いても良い。なお、図２において、切り起こし片８ｆの一部は解りやすくするため、アウトサート樹脂を取り除いて示している。
【００１４】
このように形成された鍵ストッパ８Ｃに発光手段であるＬＥＤ７を挿入保持するには次のようにする。まずスイッチ回路用ＬＥＤ（図示せず）、抵抗（図示せず）及び発光手段用ＬＥＤ７を基板９に保持し、自動半田槽にデイップ処理して形成するとともに、複数の鍵スイッチ９ｓ１，９ｓ２，、、、からなる鍵スイッチユニット９ｓｕを図２に示すごとく、基板９の所定位置に配設する。この基板９の全前側縁９１を鍵フレーム８の前後方向位置決め兼保持用突起８ｃａ（下限ストッパの一部）に当接させ、基板９の下面を鍵フレーム８から突出した鍵並び方向位置決め兼保持用弾性突起８ｇ１のつめ先に当接させながら、側縁９１もしくは突起８ｃａを基板９の軸として回転させつつ、ＬＥＤ７を鍵ストッパ８ｃの挿入孔８ｃ１に挿入する。この時、まずスリット８ｄ４にＬＥＤ７のリード脚７１が案内されつつ、ＬＥＤ７のベース部が前記挿入孔８ｃ１に案内され、これと同時に鍵フレーム８から突出した突起８ｇ１のつめ先ｐが前後方向に遊びを有する長孔９３に挿入されて突起８ｇ１の弾性にて前後方向不動にネジなし構成で基板９がスムーズに固着される。なお突起８ｇ１は、１つの基板に対し２つ以上設けるものとし、そのつめ先ｐは鍵並び方向にその先端が先細になっている。
【００１５】
そこで図１及び図２のように構成された鍵盤装置におけるＬＥＤ７は、制御回路から楽曲に対応した所定の信号が入力されることにより、例えば赤色で点灯する。ＬＥＤ７が点灯すると、その光の多くが直達光ａ１として、凹部５ａの天面（鍵ストッパ部８ｃの鍵側対向部５ａａ）に照射されると共に、光の一部が鍵内側面５ａｂ、被ガイド部３、被ガイドリブ前壁８ｄ１、鍵ガイド後面８ｄｒで反射（ａ２）され、さらに鍵ストッパ部８ｃ及びプリント基板９の前部表面からの反射光ａ３も合わせて凹部５ａの天面に照射される。これにより、ＬＥＤ７からの直達光及び反射光の照射によって、半透明な鍵１の鍵ガイド対向部５ａａが照光する。
【００１６】
この時、隣合う鍵１は、それぞれの２重側壁及び適宜の間隙を介して接しているため、点灯したＬＥＤ７に対応する鍵１の凹部５ａ内に照射される光が、隣接する他の鍵１の凹部５ａにまで透光されることはほとんどなく、各鍵１がそれぞれ明瞭に発光する。もし仮に燐鍵において、燐鍵からの光が漏れることがある場合は、鍵１の両側壁１ｃのみ不透光処理を施せばよい。この不透光処理をさらに積極的に利用して発光効率を上げることもできる。即ち、鍵の側壁３ｂを不透明処理し、またはせずに、かつその内面の反射効率を高めるための反射板として、所定幅を有する光沢処理したプラスチックシールを張り付ける。もしくはロボットを使用し、ロボットアームで鍵（ユニット）を保持し、光沢処理兼不透光処理用の塗布材を満たした液槽に鍵の側壁のみを浸けては持ち上げて乾燥処理する。このような処理を施せば、自鍵で他鍵が光るようなことは起こらず、しかも自鍵（発光鍵）は、より視認性が向上する。
【００１７】
このように、この実施例においては、演奏者の指に近い位置で、鍵１自体を発光させることができ、演奏者による視認性を向上させることができる。
【００１８】
その際、鍵１の自由端部１ｂ側を押すと、発光する鍵１の鍵側対向部５ａａがＬＥＤ７に近づく。すなわち、押鍵量に応じて、演奏者に視認される発光度合及び発光範囲が変化することになる。この変化により、目的の鍵１を押していることが視覚的に確認でき、演奏者はこの視覚と押鍵によって発せられる音（聴覚）とによる確認が可能となって、押鍵状態を明確に把握することができる。即ち押鍵移動状態をよりよく視認できるため、いわゆるさぐり弾き等を許容し得る。これらのことから、演奏者は、発光する鍵１に追従して容易かつ確実に押鍵することができ、電子鍵盤楽器の練習成果を上げることができる。
【００１９】
さらに、この実施例では鍵フレーム８を金属もしくは樹脂のいずれによっても形成することができる。また、鍵ガイド８ｄを含め、鍵フレーム８に付帯するもの全てを一体成形しても良い。例えば上限ストッパ８ｂと下限ストッパ８ｃと鍵ガイド８ｄとＬＥＤ保持部とを柔らかい樹脂で鍵フレーム成形後にアウトサート一体成形しても良い。このようにすると鍵ガイドが柔らかいので横揺れ鍵盤に適する。
【００２０】
図３は、この発明の他の実施例であって、鍵ガイド部及び鍵ストッパ部を切り出して示した斜視図であり、鍵を取り除いて示している。この実施例では鍵ガイド部８ｄと鍵ストッパ部８ｃとの中間部に押鍵指示用の発光手段（ＬＥＤ７）を設け、かつ、これらの鍵ガイド部、鍵ストッパ部、発光手段がアウトサートの樹脂成形にて集積して設けている。これらをアウトサート成形するには前実施例（図１及び図２参照）でも示したように上限ストッパと下限ストッパとが樹脂回り込み可能な透孔８１を設け、一方向からでも樹脂注入ができるように、また両ストッパが鍵フレーム８から離れないようにすると共に、特に後端の透孔に充填した軟質樹脂により基板保持時の弾性を確保しうるようにしている。
【００２１】
この実施例では、上記中間部が連続面で形成され、この面が発光手段の光反射部として作用するよう光反射処理されている。その処理は白色系軟質樹脂でアウトサート成形するとか、前述のロボット処理等同様の手法で形成可能である。さらにまた、この実施例では、前記中間部が前記鍵ストッパ部（下限ストッパ）８ｃに向かうに従ってその側面８ｄ２とこの側面に対向する鍵内側面との対向面積が増すように形成されているので押鍵時のローリング感がほとんどない押鍵操作性の良い鍵盤装置になっている。なお溝ｎは、すべり感を出すためのもので、例えばグリスを塗布すればそのグリス溜まりとなる。
【００２２】
さらに、上記各実施例におけるＬＥＤ７の色及び鍵１の形状等は、一例であって、例えばＬＥＤ７として緑色等の他の色のＬＥＤ７を使用したり、複数色のＬＥＤ７を使用しても良いし、鍵１の形状も各種の電子鍵盤楽器に応じた適宜形状の鍵１を使用することができ、本発明の要旨を逸脱しない範囲において適宜変更可能であることは言うまでもない。
【００２３】
また、本実施例のひとつの観点では、鍵ストッパ部を設けた鍵フレームと、該フレームに対して自由端部側が上下動自在にその支点部を介して配設され、押下位置にて前記鍵ストッパ部に当接する鍵当接部が設けられている鍵とを有する電子鍵盤楽器の鍵盤装置において、前記鍵ストッパ部の鍵側対向部を少なくとも透明もしくは半透明の透光素材で形成すると共に、前記鍵ストッパ部に押鍵すべき鍵を発光させ得る発光手段が設けられている。
【００２４】
このような構成によって、鍵ガイド部に設けたＬＥＤ等の発光手段から発光された光は、図１中の矢印で示すように主に直接光ａ１によって鍵の表面対応鍵ストッパ部（鍵側対向部）５ａａが照射される。この部分は鍵の最も押鍵頻度も高い部分に近いところであるので、視認性が向上する。また、鍵の上下動によって鍵と発光手段との間隔が変化し、押鍵量に応じて鍵の発光度合が変化する。このことは、押鍵ストロークの早い段階から押鍵視認が容易となり、これにより押鍵の視覚等による確認がより確実にできて、演奏者による、押鍵状態の把握がより明確になる。さらにまた発光手段が鍵ストッパ部と同一位置にあるので、配設スペースの有効利用がなされている。例えば鍵下には、一般に鍵ガイド、ストッパ、鍵スイッチ等が設けられている。また最近では、特開平６ー１１０４５０に見られるように、鍵フレームへの鍵ユニットの組み込み効率を上げるための突起を鍵下に設けているのもある。この発明の実施例（図１）でも上記技術を利用することもできるのであるが、上記従来技術のように鍵下に機能追加部品を設けたくても配設するスペースがなく、やむを得ず視認性の低い押鍵部から遠い部所に設けざるを得なかったが、この発明では上記のように鍵ストッパ部と発光手段を兼ねるようにしている。また鍵は従来の鍵と同一形状でよく、樹脂を透光材に代えるだけで新規の金型が不要になる。
【００２５】
また、上記観点において、前記発光手段がその発光部を露出して配設されるとともに、前記鍵ストッパ部にて少なくともそのリード線が保護されるように構成している。
【００２６】
これによれば、発光手段の一部もしくは大部分（例えばリード線、ベース部）が鍵ストッパ部にて被われるので、鍵に対する発光手段の位置決めが精度良く行われるのみならず、鍵の鍵フレームへの取り付け及び鍵フレームから鍵の離脱等の組立保守時に、リード線に関係する短絡事故、基板から突出した部品である発光手段に鍵を当てて損傷させるという事故等の確率を低く押さえることができる。
【００２７】
また、上記観点において、前記鍵ストッパ部の鍵対向面部が前記発光手段の光反射部を形成するようにしている。これによれば、発光手段から発光された光は、図１中の矢印で示すように前記直接光ａ１と鍵ストッパ部上面の反射面による反射光ａ３とによって鍵の表面対向鍵ガイド部が照射される。これにより鍵表示部の照度が上がり、視認性がさらに向上する。
【００２８】
さらには、前記鍵ストッパ部の鍵対向面部が全体として略凹面で形成している。これにより、鍵表示部の照度がさらに上がり、視認性もより以上に向上する。
【００２９】
また、別の観点では、鍵ガイド部と鍵ストッパ部とを設けた鍵フレームと、該フレームに対して自由端部側が上下動自在にその支点部を介して配設され、押下位置にて前記鍵ストッパ部に当接する鍵当接部が設けられている鍵とを有する電子鍵盤楽器の鍵盤装置において、前記鍵ストッパ部の鍵側対向部を少なくとも透明もしくは半透明の透光素材で形成すると共に、前記鍵ガイド部と前記鍵ストッパ部との中間部に押鍵すべき鍵を発光させ得る発光手段を設け、これら鍵ガイド部、鍵ストッパ部、発光手段が集積して設けられている。
【００３０】
これによれば、鍵下の限られたスペースに効率よく各機能部品が収納できるのみならず、集積部品の各部がお互いに補強される。さらに発光手段のリード線等のガイド兼収納部を前記各部を集積することによって効率よく形成することができる。より好ましい実施例（第二実施例）によれば、発光手段であるＬＥＤのベース部を基板配設と同時に該集積部に収納でき、該ＬＥＤの位置決めも同時に行われる。
【００３１】
また、前記中間部が前記鍵ガイド部と前記鍵ストッパ部とに渡って形成され、前記鍵ガイド部と前記鍵ストッパ部とを含む形成面を該発光手段の光反射部として形成するようにしている。
【００３２】
これによれば、鍵表示部の照度が上がって視認性も向上する。また、鍵の押下につれて前記集積部の側面とこれに対向する鍵内側面との対向面積が増す。これにより鍵を押下するほど、鍵ガイド機能（鍵をローリングさせずに上下動させること）がより強固になるという副産的作用もある。これによって、この鍵構造にアフタセンサ等を付加して、ビブラート等のアフタ効果を付与するようにした場合ローリングせずに効果付与ができる。
【００３３】
また別の観点では、鍵ガイド部と鍵ストッパ部とを設けた鍵フレームと、該フレームに対して自由端部側が上下動自在にその支点部を介して配設され、押下位置にて前記鍵ストッパ部に当接する鍵当接部が設けられている鍵とを有する電子鍵盤楽器の鍵盤装置において、前記鍵ストッパ部の鍵側対向部を少なくとも透明もしくは半透明の透光素材で形成すると共に、前記鍵ガイド部と前記鍵ストッパ部との間に連続面で形成された中間部に押鍵すべき鍵を発光させ得る発光手段が設けられ、該中間部は前記鍵ストッパ部に向かうに従ってその側面とこの側面に対向する鍵内側面との対向面積が増すように形成されている。
【図面の簡単な説明】
【００３４】
【図１】本発明に係る電子鍵盤楽器の鍵盤装置の一部を断面とした側面図
【図２】本発明に係る鍵盤装置であって、鍵を除去した鍵フレームを主として示す斜め後方上部から見た部分的斜視図
【図３】本発明の他の実施例であって、その要部を示した斜視図
【符号の説明】
【００３５】
１……鍵、 １ｂ……自由端部、 １ｃ……鍵当接部、２……鍵の支点部、５ａ……鍵の凹部（被ガイド部）、 ５ａａ……天面（鍵側対向部）、７……ＬＥＤ（発光手段）、 ７１……リード線、８……鍵フレーム、 ８ｃ……下限ストッパ（鍵ストッパ部）、８ｃａ……鍵対向面部、 ８ｄ……鍵ガイド部、 ８ｄ２……側面、ｓ１〜ｓ４……凹面
【図１】
2004046241.tif 000003
【図２】
2004046241.tif 000004
【図３】
2004046241.tif 000005